【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
固体粒子と；少なくとも１つの親水性セグメントと少なくとも１つの疎水性セグメントを含み前記親水性セグメントが少なくとも１つの架橋性部分を含んでいる構造化ビニルポリマー分散剤と；水性分散系に実質的に不溶性である架橋剤と；を含む水性分散系であって、前記架橋性部分が前記架橋剤と架橋されている、水性分散系。
【請求項２】
前記固体粒子が、着色剤、充填材、金属粒子、薬学的に活性な化合物、ポリマー粒子および中空ガラス球からなる群から選択される、請求項１に記載の水性分散系。
【請求項３】
前記着色剤が顔料または不溶性染料である、請求項２に記載の水性分散系。
【請求項４】
前記疎水性セグメントが、アルキルアクリレート類、アリールアクリレート類、アルキルアリールアクリレート類、アルキルメタクリレート類、アリールメタクリレート類、アルキルアリールメタクリレート類（なおここで、前記アルキル基は１〜１２個の炭素原子を含み、および／または前記アリール基は６〜１２個の炭素を含む）；重合性ビニル芳香族モノマーおよび脂肪族炭化水素モノマーからなる群から選択された疎水性モノマーを含む、請求項１に記載の水性分散系。
【請求項５】
前記親水性セグメントが、酸性モノマー、アミン含有モノマー、
ＣＨ2＝ＣＲＣ（Ｏ）Ｏ（ＣＨ2ＣＨ2Ｏ）nＲ1  式（Ｉ）
のオリゴエーテル部分を有するモノマー（なお式中、Ｒ＝Ｈまたはメチルであり；Ｒ1＝Ｃ1-4アルキル、Ｃ6-12アリールまたはＣ1-12アルキル−Ｃ6-12アリールであり、ｎ＝１〜２０である）およびそれらの混合物からなる群から選択された親水性モノマーを含む、請求項１に記載の水性分散系。
【請求項６】
前記モノマーが、アクリル酸、メタクリル酸、アクリルアミドメチルプロパンスルホン酸、イタコン酸、マレイン酸およびスチレンスルホン酸からなる群から選択される、請求項５に記載の水性分散系。
【請求項７】
前記式（Ｉ）のオリゴエーテル部分を有する前記モノマーが、エトキシエチルメタクリレート、ブトキシエチルメタクリレート、エトキシトリエチレンメタクリレート、メトキシポリエチレングリコールメタクリレートおよび２−エトキシトリエチレングリコールメタクリレートからなる群から選択される、請求項５に記載の水性分散系。
【請求項８】
前記架橋剤が、エポキシド、カルボジイミド、オキサゾリン、イソシアネート、ｍ−テトラメチルキシレンジイスシアネート（ＴＭＸＤＩ）、イソホロンジイソシアネート（ＩＰＤＩ）、トリメチロプロパンポリグリシジルエーテル、水不溶性エポキシド樹脂、オキサゾリン−官能性ポリマー、ポリカルボジイミド樹脂、シランおよびこれらの混合物からなる群から選択される、請求項１に記載の水性分散系。
【請求項９】
前記架橋性部分が酸であり、前記架橋剤が、エポキシド、カルボジイミド、オキサゾリンおよびこれらの混合物からなる群から選択された架橋用官能基を含む、請求項１に記載の水性分散系。
【請求項１０】
請求項１および４から９のいずれか一項に記載の前記水性顔料分散系を含む水性顔料インクジェットインクであって、前記固体粒子が顔料または不溶性染料である、水性顔料インクジェットインク。
【手続補正２】
【補正対象書類名】明細書
【補正対象項目名】００９０
【補正方法】変更
【補正の内容】
【００９０】
表６、７および８に示されている通り、本開示の架橋分散系ＸＬ−１、ＸＬ−２およびＸＬ−３は、優れたインク安定性を実証した。水溶性架橋剤と架橋された比較用分散系の示した安定性は比較的低いものである。
本発明は以下の実施の態様を含むものである。
１．  固体粒子と構造化されたビニルポリマー分散剤とを含む水性分散系であって、前記構造化ビニルポリマー分散剤が少なくとも１つの親水性セグメントと少なくとも１つの疎水性セグメントを含み、前記親水性セグメントが少なくとも１つの架橋性部分を含み、前記架橋性部分が、前記水性インクビヒクルに実質的に不溶性である架橋剤と架橋されている水性分散系。
２．  前記固体粒子が、着色剤、充填材、金属粒子、薬学的に活性な化合物、ポリマー粒子および中空ガラス球からなる群から選択されている、前記１に記載の水性分散系。
３．  前記着色剤が顔料または不溶性染料である、前記２に記載の水性分散系。
４．  前記顔料が約０．００３〜約１ミクロンの範囲内の粒径を有する、前記３に記載の水性分散系。
５．  前記構造化ビニルポリマー分散剤が、ブロックポリマー、グラフトポリマー、テーパードポリマーおよび分岐ポリマーからなる群から選択される、前記１に記載の水性分散系。
６．  前記構造化ビニルポリマー分散剤が基移動重合技術により調製されるブロックポリマーである、前記１に記載の水性分散系。
７．  前記構造化ビニルポリマー分散剤が、連鎖移動剤を用いて調製されるグラフトポリマーである、前記１に記載の水性分散系。
８．  前記疎水性セグメントが、アルキルアクリレート類、アリールアクリレート類、アルキルアリールアクリレート類、アルキルメタクリレート類、アリールメタクリレート類、アルキルアリールメタクリレート類（ここで、前記アルキル基は１〜１２個の炭素原子を含み、および／または前記アリール基は６〜１２個の炭素を含む）；重合性ビニル芳香族モノマーおよび脂肪族炭化水素モノマーからなる群から選択された疎水性モノマーを含む、前記１に記載の水性分散系。
９．  前記親水性セグメントが、酸性モノマー、アミン含有モノマー、式（Ｉ）：
ＣＨ2＝ＣＲＣ（Ｏ）Ｏ（ＣＨ2ＣＨ2Ｏ）nＲ1  式（Ｉ）
のオリゴエーテル部分を有するモノマー（式中、Ｒ＝Ｈまたはメチルであり；Ｒ1＝Ｃ1-4アルキル、Ｃ6-12アリールまたはＣ1-12アルキル−Ｃ6-12アリールであり、ｎ＝１〜２０である）からなる群から選択された親水性モノマーを含む、前記１に記載の水性分散系。
１０．  前記酸性モノマーが、アクリル酸、メタクリル酸、アクリルアミドメチルプロパンスルホン酸、イタコン酸、マレイン酸およびスチレンスルホン酸からなる群から選択される、前記９に記載の水性分散系。
１１．  前記アミン含有モノマーが、２−ジメチルアミノエチルメタクリレート、２−ジメチルアミノエチルアクリレート、２−ジエチルアミノエチルメタクリレートおよび２−ジエチルアミノエチルアクリレートからなる群から選択される、前記９に記載の水性分散系。
１２．  前記式（Ｉ）のオリゴエーテル部分を有する前記モノマーが、エトキシエチルメタクリレート、ブトキシエチルメタクリレート、エトキシトリエチレンメタクリレート、メトキシポリエチレングリコールメタクリレートおよび２−エトキシトリエチレングリコールメタクリレートからなる群から選択される、前記９に記載の水性分散系。
１３．  前記モノマーが中和されている、前記９に記載の水性分散系。
１４．  前記架橋性部分と前記架橋剤の架橋用官能基のモル比が約１０：１〜約１：１．５である、前記１に記載の水性分散系。
１５．  前記架橋剤が、エポキシド、カルボジイミド、オキサゾリン、イソシアネート、ｍ−テトラメチルキシレンジイスシアネート（ＴＭＸＤＩ）、イソホロンジイソシアネート（ＩＰＤＩ）、トリメチロプロパンポリグリシジルエーテル、水不溶性エポキシド樹脂、オキサゾリン−官能性ポリマー、ポリカルボジイミド樹脂、シランおよびこれらの混合物からなる群から選択される、前記１に記載の水性分散系。
１６．  前記架橋性部分が酸であり、前記架橋剤が、エポキシド、カルボジイミド、オキサゾリンおよびこれらの混合物からなる群から選択された架橋用官能基を含む、前記１に記載の水性分散系。
１７．  前記架橋性部分がヒドロキシル基であり、前記架橋剤が、エポキシド、シラン、イソシアネートおよびこれらの混合物からなる群から選択された架橋用官能基を含む、前記１に記載の水性分散系。
１８．  前記架橋性部分がアミノ基であり、前記架橋剤が、エポキシド、シラン、イソシアネート、カルボジイミドイソシアネートおよびこれらの混合物からなる群から選択された架橋用官能基を含む、前記１に記載の水性分散系。
１９．  前記架橋剤が、ｍ−テトラメチルキシレンジイスシアネート（ＴＭＸＤＩ）、イソホロンジイソシアネート（ＩＰＤＩ）、トリメチロプロパンポリグリシジルエーテル、水不溶性エポキシド樹脂、オキサゾリン−官能性ポリマー、ポリカルボジイミド樹脂およびシランからなる群から選択される、前記１に記載の水性分散系。
２０．  ｐＨが少なくとも約８．０である、前記１に記載の水性分散系。